(57)【要約】      （修正有）【課題】溶融スラグやメタルをコンクリート混合骨材として使用し比較的大型で質量を有する環境と生態系コンクリートでありながらコンクリート製品に見えない多様な製品に見えない多様な製品と製造方法を提供する。【解決手段】溶解スラグやメタルを骨材とする製品底版部の型枠と表面露出（凹凸構築部）擬石製品又は自然石あるいは他の材質製品を別途個別とし、施工後露出表面よりコンクリート１を打設し凹凸構築部を埋設セッティングして他の表面仕上げは、盛土面あるいは河川の陸上法面使用製品は、植栽土６か土砂に植物片を混合させて凹凸を有して仕上げ、時には天然の苔か植物の根を混合して仕上げ、必要に応じては要所要所に草花や樹木の生息の開口部を設けて仕上げ、水中使用製品においては現地の切り込み砂利か玉石を砂利を混ぜて敷いて凹凸を設けて環境と生態系を考慮して仕上げてなる手段とする。【選択図】図４
2005089995.tif 000002
【特許請求の範囲】
【請求項１】
溶融スラグやメタルを骨材とするコンクリート製品底版部本体と表面露出凹凸構築部を他の材質製品とし本体の施工後露出表面よりコンクリートを打設し凹凸構築部を埋設セッティングして残りの表面仕上げは、盛土面あるいは河川の陸上法面使用製品では、切り込み砂利か砂あるいは植栽土か土砂に植物片を混合させて凹凸を構築し時には天然の苔か植物の根を混合して仕上げ、必要に応じては要所要所に樹木植栽開口部を設けて仕上げ、水中使用製品に於いては現地の切り込み砂利か玉石と砂利を混ぜて敷き本体コンクリートに押さえ込んで凹凸を設けて仕上げてなる環境と生態系を考慮してなる製品とこの製品の製造方法。
【発明の詳細な説明】
【背景技術】
【０００１】
本発明は、秋田県秋田市や鹿角市で生産される良質な溶融スラグやメタルをコンクリート骨材として使用し道路切土法面や盛土法面あるいは河川の陸上法面又は水中に使用する環境と生態系を考慮しての比較的大型で質量を有するコンクリート製品とその製造方法に関する。
【０００２】
従来のコンクリート製品でコストを絡めた環境、生態系製品や製造方法を特許庁ホームページの特許電子図書館で１０年前位まで検索すると５件、環境や生態系製品関係では、１１０件以上が従来技術として検索され、下記にその代表的ものを説明すると次の様な製品と製造方法が有ります。
【０００３】
（１）擬石コンクリート塊を使用したコンクリートブロック。
製造方法の詳細は不明であるが要約すると、擬石コンクリート塊を下にして背面よりコンクリートを打設して一体とした環境保護目的とした製品とその製造方法。
【特許文献１】特願平０８−１１５４５２号
【０００４】
（２）  緑化コンクリートブロック及びコンクリート二次製品。
この製品は、環境保全及び緑化促進に貢献し、植物を鉢植え状態としメンテナンスを不要としてコスト低減とするもので、製造方法は製品の背面よりコンクリートを打設する製品であると思われます。
【特許文献２】特願平１１−１３８７９６号
【０００５】
（３）生態系育成ブロック。
出来上がり製品の表面に砂層や自然石又はポーラス状コンクリート等を表面に露出させ
要所要所に貫通孔植栽孔を有してなる生態系コンクリートブロックで有り、これも製品構成から背面よりコンクリートを打設する製品であると思われます。
【特許文献３】特願平０７−１８１０４５号
【０００６】
（４）自然石結合ブロックおよびその製造方法。
小砂利及び砂粒を埋設したものに自然石を配列し、その上（背面）からコンクリートを打設製造してなる製品。
【特許文献４】特願平０６−１１２０４４号
【０００７】
次に、環境や生態系ブロックに於いては、下記に示すものがあった。
【特許文献５】特願平０８−１５０２９５号    多自然型積みブロック
【特許文献６】特願平０９−２６３２８５号    複合ブロック
【特許文献７】特願平１１−３３１３５５号    護岸用凸形コンクリートブロック
【０００８】
しかし、上記製品とこの製品の製造方法には次の様な課題と欠点が有った。   
【０００９】
〔１〕  （１）の擬石コンクリート塊を使用したコンクリートブロックであって、擬石コンクリート塊を下にして背面よりコンクリートを打設一体として製造する方法は本件特許発明者の考案したる平成６年  実用新案登録願第０１３５１５号の技術範囲と考えられ、砂かダストに埋設すると、大型の製品では、この部分のコンクリート硬化に時間を要し（初期養生の温度伝達に時間が必要）製造効率が悪く、鋼鉄やアルミあるいはＦＲＰ型枠ですと、コンクリート塊（自然石でも良い）のセッティングに技術と時間がかかる欠点があった。      
【００１０】
〔２〕  （２）の製品の製造方法は、背面（法面接地面）よりのコンクリート打設より考え難く、鉢植状態（成長拘束）のメンテナンスのコスト低減は本件特許発明者の考案したる平成６年  実用新案登録願第０１４３５０号の技術範囲と考えられるが、この製品も比較的大型製品で質量も大きい製品の製造コストと能率の事は考慮されていない。
【００１１】
〔３〕  （３）製品の表面に砂層や自然石又はポーラス状コンクリート等を表面に露出させ要所要所に貫通孔植栽孔を有してなる生態系コンクリートブロックに於いては、上記〔２〕同様に比較的大型製品で質量も大きい製品の製造コストと能率の事は考慮されていないし、この製品製造方法も本件特許発明者の発明したる、平成０８年  特許第２０９７１１９号技術範囲であると思われ、製品構成技術は本件特許発明者の考案したる平成０７年  実用新案登録願第０００７２８号の製品技術範囲と考えられるが、多様な作用と効果が得られる比較的大型製品で質量も大きい製品の製造コストと能率の事は考慮されていない。
【００１２】
〔４〕  （４）自然石結合ブロックおよびその製造方法に於いても、小砂利及び砂粒を埋設したものに自然石を配列し、その上（背面）からコンクリートを打設製造してなる製品に於いても多様な作用、効果が得られる比較的大型製品で質量も大きい製品の製造コストと能率の事は考慮されていない。
【００１３】
下記に表す特許文献のブロックの環境や生態系ブロックに於いても背面よりコンクリートを打設する方法であって下記に示す製品同様に時代が求める多様な作用、効果が得られる比較的大型製品で質量も大きい製品の製造コストと能率の事は考慮されていない１個１個異なった違和感の無い配列（同じ製品の繰り返し使用ではなく変化を求めた表面構成配列）の事は考慮されていない。
【特許文献８】特願平０８−１５０２９５号  多自然型積みブロック
【特許文献９】特願平０９−２６３２８５号  複合ブロック
【特許文献１０】特願平１１−３３１３５５号  護岸用凸形コンクリートブロク
【００１４】
又、従来より軽量スラグ、軽量メタルをコンクリート骨材として軽量である事とと吸水率の大きさを利用し環境や生態系製品は有ったが従来の骨材に比較し比重も大きく吸水率も小さい溶融スラグやメタルを利用して比較的大型で質量も大きい環境と生態系を考慮された製品は無かったし、その製造方法も無論無かった。
【００１５】
そこで、この出願発明者は、従来のプレキャスト製品の製造と豊富な体験実績から、これらの製品の製造の問題点を熟知して本発明の課題を解決するためにいろいろ試作研究（溶融スラグとメタルの成分性能試験、コンクリート圧縮試験、製品曲げ試験、アルカリシリカ反応試験、製品凍結融解試験）を重ねこの出願発明を完成したものである。
【発明の開示】
【発明が解決しようとする課題】
【００１６】
（１）県内生産の溶融スラグとメタル（秋田市と鹿角市を加えると日産約スラグ５０〜６０トン、メタル１５〜２０トン）の比重と吸水率を利用した環境と生態系製品の開発を課題とする。
【００１７】
（２）型枠コストが安価で基本的本体型枠で多種多様な製品の製造が容易である事に加え、コンクリート製品でありながらコンクリート製品に見えない環境と生態系を考慮した製品である事。
【００１８】
（３）基本的型枠本体部分で道路切土法面、盛土法面あるいは河川の陸上法面又は水中に使用され施工後見えない本体部分には溶融スラグやメタル骨材使用のコンクリートで露出面には切り込み砂利自然石、擬石、木材時には天然苔、藻等を使用しての環境と生態系を考慮しての比較的大型で質量を有する製品と製造方法である事。
【００１９】
（４）目的に応じて使用材料を使い分けて製品が一体化され供給出来る事。
【課題を解決するための手段】
【００２０】
溶融スラグやメタルを骨材とする製品底版部の本体型枠と表面露出（凹凸構築部）擬石製品又は自然石あるいは他の材質製品を別途とし、本体型枠の施工後露出表面よりコンクリートを打設し製品の目的用途により凹凸構築部をこのコンクリート中に埋設セッティングして残った部分の表面仕上げは、盛土法面あるいは河川の陸上法面使用製品は、植栽土か土砂に植物片を混合させて凹凸を有して仕上げ、時には天然の苔か植物の根を混合して仕上げ、必要に応じては要所要所に草花や樹木の生息の開口部を設けて仕上げ、水中使用製品に於いては現地の切り込み砂利か玉石と砂利を混ぜて敷き時には藻や水性植物の根を混合して凹凸を設けて仕上げる環境と生態系を考慮した製品と製造方法の手段とする。
【００２１】
この発明の「解決しようとする課題」と「解決するための手段」を上記の如くにする事により、次の様な発明の効果がある。
【発明の効果】
【００２２】
（１）県内生産の溶融スラグとメタルを３０Ｎ／ｍｍ2コンクリート骨材の２０〜３０％を使用した場合、現在の平均骨材単価３．５００円／立米  溶融スラグやメタルは１．０００円／立米であるとするとコンクリート１立米当たり  ５００〜７００円コスト安価となる。
【００２３】
（２）絶乾密度（比重）も秋田県内の従来骨材は  規格の２．５ギリギリなのに対し溶融スラグとメタルの平均絶乾密度は２．８７であり、１割以上も重いので質量を必要とする製品ではコンクリート体積も小さくて良く吸水率も小さいので凍結融解にも強い製品の提供が可能であるのに加え実施例で図示した製品ばかりでなく図示してないが底版部の質量が大きい蓋型・歩車道境界ブロックや道路境界ガードブロック製品にもその技術が応用出来るものである。
【００２４】
（３）製品の型枠は製品の施工後に見えない底版部本体の輪郭立ち上がりのみの型枠で環境と生態系を構築する部分は後セッティングのためにコストが安価で表面露出部の構築は多種多様な組み合わせ埋設での製品の製造が容易である事に加え、他の仕上げに植栽土、天然苔、根付き植物、木片、切り込み砂利等を使用し仕上げる事によりコンクリート製品でありながらコンクリート製品に見えない環境と生態系を考慮した違和感の無い製品が提供出来る。
【００２５】
（４）特に「図１」の魚貝類の生息根固め製品、「図４」の法勾配に対して垂直石の取り付け法面公園製品、「図５」の乱型製品に樹木の植栽開口部を設けて樹木を植栽出来る製品などは、時代の要求製品の提供と言えるものである。
【００２６】
この発明の実施するための最良の形態と実施例を下記に説明する。
【発明を実施するための最良の形態】
【００２７】
（１）この出願発明は、秋田県で産出されるのみならず全国で産出される比重が大きく吸水率の小さい溶解スラグとメタルをコンクリート骨材として使用した多様製品の提供が望ましい。
【００２８】
（２）コンクリート製品でありながらコンクリート肌に見えない事が望ましい。
【００２９】
（３）製品は比較的大型で基本的本体型枠で道路切土法面、盛土法面あるいは河川の陸上法面又は水中に使用され製品が提供出来る事が望ましい。
【００３０】
（４）製造型枠のコストも安価であると共に多種多様な製品が容易に製造提供される事が望ましい。
【００３１】
（５）露出面には目的に応じ多様な型状製品で自然石、擬石、擬木、木材等を使用出来る事が望ましい。
【実施例】
【００３２】
図１はこの出願発明の水中に使用する魚貝類の生息根固め製品の製品製造状態と施工使用状態を示す断面概要図であり、図２は河川の水制工製品の概要図であり、図３は河川の環境法枠工又は道路法止め工にも使用される製品の施工概要正面図であり、図４は盛土、切り土の法面に使用する製品で法面勾配に垂直に天然石又は擬石を埋設してなる製品の斜視概要図であり、図５は乱型製品に樹木の植栽開口部を設けて樹木を植栽してなる製品の概要図であり、Ａは魚貝類生息の根固め製品を、Ｂは河川水制工製品を、Ｃは河川法枠製品及び法止め製品を、Ｄは法面製品を、Ｅは法面または公園環境設置製品を、ｈは底版部輪郭高さを、αは施工現場の法面勾配を、１は溶解スラグやメタルの混入部のコンクリートを、２は擬石を、３は自然石又は擬石を、４は玉石または切り込み砂利を、５は木片又は天然苔を、６は植栽土（土砂でも良い）を、７は凹部を、８は魚貝類貫通孔を、８−１は草花や樹木の植栽開口部を、９はジョイント結束フックを、１０は魚貝類を、１１はコンクリート擬木（丸太又は角材或いは天然間伐材でも良い）を、１２は樹木（草花でも良い）をそれぞれ示す。
【００３３】
図１でこの出願発明の水中に使用する魚貝類の生息根固め製品の実施例を説明すると、
溶融スラグやメタルの混入する（圧縮、曲げ、凍結融解試験では使用骨材の５０％混入までは問題無いが標準混入を２０〜３０％とする）コンクリート１を打設する本体型枠は図示してないが、製品底版部の輪郭高さｈを有する輪郭本体型枠とし、この輪郭高さｈ近くまで溶融スラグやメタル混入コンクリート１を打設し、ここに別途事前に製造してなる魚貝類貫通孔８を設けた大小の擬石２と必要に応じて自然石又は擬石３を埋設しその周辺に玉石または切り込み砂利４と木片時には水中藻を混合して凹部７を型成して製造する製品とその製造方法である。
【００３４】
図２でこの出願発明の河川水制工製品の実施例を説明すると、溶融スラグやメタルの混入コンクリート１上記実施例（魚貝類生息根固め製品）の如く製品底版部の輪郭高さｈを有する輪郭本体型枠とし、この輪郭高さｈ近くまで溶融スラグやメタル混入コンクリート１を打設しこの溶融スラグやメタル混入コンクリート１が凝結硬化後に合着固定する様に水制工構築のコンクリート擬木１１（丸太又は角材あるいは天然間伐材でも良い）、自然石又は擬石３、玉石または切り込み砂利４と木片時には水中藻を混合して製造する製品とその製造方法である。
【００３５】
図３の河川の環境法枠工又は道路法止め工製品については説明を省略させて頂き、図４の法面製品について説明すると、法面勾配を有する現場に使用する製品でも、製品底版部の輪郭高さｈを有する輪郭本体型枠は上記説示実施例製品と同じ様に水平とし、この輪郭高さｈ近くまで比較的スランプの小さい（ＳＬ＝５ｃｍ程度）溶融スラグやメタル混入コンクリート１を打設し、ここに自然石又は擬石３を勾配αだけ傾斜させて（法面勾配に合わせて施工した場合ほぼ垂直になる様に）埋設し、その周辺に玉石または切り込み砂利４と木片又は天然苔５あるいは植栽土６（土砂でも良い）を混合して時には凹部７を型成して製造するものである。
【００３６】
最後に図５の乱型で法面または公園環境設置製品に樹木植栽開孔部８−１を設けて樹木１２（草花でも良い）を植栽出来る製品の説明は開口部の大きさのアタチメントを製品底版部の輪郭高さｈを同じくして設けて溶融スラグやメタル混入コンクリート１を打設し、樹木１２の小さいものは、製品出荷時に鉢植えの様にして植栽し比較的樹木１２の大きいものは製品を施工時植栽するものである。
【図面の簡単な説明】
【００３７】
【図１】はこの出願発明の水中に使用する魚貝類の棲息根固め製品の製品製造状態と施工使用状態を示す断面概要図。
【図２】は河川の水制工製品の概要図。
【図３】は河川の環境法枠工又は道路法止め工製品の施工概要正面図。
【図４】は盛土、切り土の法面に使用する製品に垂直に天然石又は擬石を埋設してなる製品の斜視概要図。
【図５】は乱型製品に樹木の生息貫通開口部を設けて樹木を植栽出来る製品の概要図。
【符号の説明】
【００３８】
Ａ  魚貝類生息の根固め製品
Ｂ  河川水制工製品
Ｃ  河川法枠製品及び法止め製品
Ｄ  法面製品
Ｅ  法面または公園環境設置製品
ｈ  底版部輪郭高さ
α  施工現場の法面勾配
１  溶解スラグやメタルの混入部のコンクリート
２  擬石
３  自然石又は擬石
４  玉石または切り込み砂利
５  木片又は天然苔
６  植栽土（土砂でも良い）
７  凹部
８  魚貝類貫通孔
８−１  樹木植栽開口部
９  ジョイント結束フック
１０  魚貝類
１１  コンクリート擬木（丸太又は角材あるいは天然間伐材でも良い）
１２  樹木（草花でも良い）
【図１】
2005089995.tif 000003
【図２】
2005089995.tif 000004
【図３】
2005089995.tif 000005
【図４】
2005089995.tif 000006
【図５】
2005089995.tif 000007